(57)【要約】【課題】検出精度に優れ、外乱光の影響を受けにくい透過型フォトインタラプタを高い歩留まりで安価に提供する。【解決手段】発光素子封止体と、受光素子封止体とを準備し、これらの封止体を受光素子が発光素子と光学的に結合するように成形型内に配置し、成形型内面より各封止体に当接するように突出した支持部で各封止体の水平方向位置を決め、成形型の流入口より遮光性樹脂を流し込む方法において、成形型内面における各封止体の後部両端と対応する隅に、封止体に向かって突出するとともに封止体の背面及び側面と各々当接する二面を有する支持部Ｌ１、Ｌ２、Ｒ１、Ｒ２が設けられており、成形型における両封止体間の平面視中央に流入口が設けられていることを特徴とする。【選択図】図６
2007103543.tif 000002
【特許請求の範囲】
【請求項１】
発光素子を透光性樹脂で封止し、平面視外形において後部両端に角度を有する発光素子封止体と、受光素子を透光性樹脂で封止し、平面視外形において後部両端に角度を有する受光素子封止体とを準備し、これらの封止体を受光素子が発光素子と光学的に結合するように成形型内に配置し、成形型内面より各封止体に当接するように突出した支持部で各封止体の水平方向位置を決め、成形型の流入口より遮光性樹脂を流し込む方法において、
成形型内面における各封止体の後部両端と対応する隅に、封止体に向かって突出するとともに封止体の背面及び側面と各々当接する二面を有する支持部が設けられており、
成形型における両封止体間の平面視中央に流入口が設けられていることを特徴とする透過型フォトインタラプタの製造方法。
【発明の詳細な説明】
【技術分野】
【０００１】
透過型フォトインタラプタの製造方法に関し、特に外乱光の影響を受けにくく検出精度及び製品歩留まりに優れた透過型フォトインタラプタの製造方法に関する。
【背景技術】
【０００２】
図７に斜視図、図８に鉛直方向断面図として示すように、透過型フォトインタラプタ１１は、一般に端子１２ａに固着された発光素子１２ｂを透光性樹脂１２ｃで封止した発光素子封止体１２と、別の端子１３ａに固着された受光素子１３ｂを透光性樹脂１３ｃで封止した受光素子封止体１３とを備えている。そして、これら両封止体１２、１３の周囲が、たとえば特許文献１に開示されているように、発光素子封止体１２においては光放射窓となる面、受光素子封止体１３においては光入射窓となる面を残して遮光性樹脂１４により一つの成形型内で同時にインジェクション成形されることにより、一体化されている。成形型の内面には、流入する遮光性樹脂に押されて各封止体が動くことのないように、封止体の外周面に当接する支持部が突出して設けられている。製品のサイズが小さいことから、僅かな位置ずれでも生じると、遮光性樹脂が所定形状に成形されなくなり、短絡不良の原因となるからである。従って、成形型内において封止体を正確に位置決めすることは極めて重要である。
【０００３】
ところで、従来のある透過型フォトインタラプタの場合、発光素子封止体と受光素子封止体との間隔が極めて狭いことから、遮光性樹脂の成形型への流入口がその間隔の中央すなわち製品中央に正確に位置するように両封止体を少ない支持部（たとえば封止体の背面に当接する支持部のみ）で型内に固定することは困難であった。このため流入口を製品の一方の側面又は片方の封止体の上方に設けていた。
また、従来の別の透過型フォトインタラプタの場合、流入口が製品の中央に極力正確に位置するように封止体を固定するために、図９に成形型Ｔの横断面図として示すように封止体１２、１３に当接させる支持部Ｔ１が、封止体１２、１３の正背面と両側面とに各々対向するように多数の箇所に設けられていた。
【特許文献１】特開平６−４５６３７
【発明の開示】
【発明が解決しようとする課題】
【０００４】
しかし、流入口を上記のように製品の偏った位置に設けると、流入口から遠い部分では遮光性樹脂が到達するのに時間がかかるため、到達するまでに硬化が始まり、互いに異方向から流れてきた樹脂同士の融合が不完全となってウェルドラインを生じたり、空隙を生じたりすることがある。このようなウェルドラインや空隙は、製品の強度を低下させたり、検出精度を低下させたり、遮光不完全のために外乱光の影響を受けて誤動作を招いたりする。一方、金型に支持部を多数設ける（たとえば封止体の背面側に加えて両側面に当接する支持部も設ける）と、金型構造が複雑となって金型費用が高くなるうえ、封止体の露出部分が多くなって外乱光の影響を受けやすくなる。
それ故、この発明の課題は、検出精度に優れ、外乱光の影響を受けにくい透過型フォトインタラプタを高い歩留まりで安価に提供することにある。
【課題を解決するための手段】
【０００５】
その課題を解決するために、この発明の透過型フォトインタラプタの製造方法は、
発光素子を透光性樹脂で封止し、平面視外形において後部両端に角度を有する発光素子封止体と、受光素子を透光性樹脂で封止し、平面視外形において後部両端に角度を有する受光素子封止体とを準備し、これらの封止体を受光素子が発光素子と光学的に結合するように成形型内に配置し、成形型内面より各封止体に当接するように突出した支持部で各封止体の水平方向位置を決め、成形型の流入口より遮光性樹脂を流し込む方法において、
成形型内面における各封止体の後部両端と対応する隅に、封止体に向かって突出するとともに封止体の背面及び側面と各々当接する二面を有する支持部が設けられており、
成形型における両封止体間の平面視中央に流入口が設けられていることを特徴とする。
【０００６】
この発明の製造方法によれば、受発光面及び後部両端の隅に対応する三箇所の支持部を封止体に当接するだけで各封止体の水平方向の位置が正確に決まる。従って、成形後に遮光性樹脂から露出する箇所も三つしかない。また、遮光性樹脂の流入口が中央に位置することから、遮光性樹脂が緻密に均一に充填される。
【発明の効果】
【０００７】
受発光素子封止体の水平方向位置を決める支持部が三箇所で足りるので、金型費用を低減できるうえ、受発光素子封止体の露出部分が少なくて外乱光の影響を受けにくい。また、封止体が型内で正確に位置決めされ且つ流入口が製品の中央に位置するので、成形工程の歩留まりが向上し、しかも遮光性樹脂が緻密に均一に充填され、寸法安定性に優れる。
【発明を実施するための最良の形態】
【０００８】
この発明の実施形態を図面とともに説明する。図１は実施形態に係る透過型フォトインタラプタを示す斜視図、図２は同じく平面図、図３は同じく正面図、図４は図２におけるＣＣ’線断面図である。
透過型フォトインタラプタ１は、発光素子封止体２と、これに対向して配置された受光素子封止体３とを備える。発光素子封止体２は、金属板からなる一方の端子２ａと、その上端に電気的に接続された発光素子２ｂと、発光素子２ｂ及び端子２ａの上半部を封止した透光性樹脂２ｃとからなる。受光素子封止体３も同様に端子３ａ、受光素子３ｂ及び透光性樹脂３ｃからなる。各封止体２、３の大部分を占める透光性樹脂２ｃ、３ｃは、いずれも対称な外形を有するように成形されている。以下、透光性樹脂２ｃについての説明は透光性樹脂３ｃにも当てはまる。
【０００９】
透光性樹脂２ｃは、平面視において逆等脚台形状の後部と、後部に連なる正等脚台形状の中間部と、中間部より前方に突出した正等脚台形状の前部とからなる。後部の台形の高さは、中間部と前部を合わせた高さよりも大きい。
両封止体２、３は、発光素子２ｂと受光素子３ｂとが対向するように配置され、遮光性樹脂からなる本体４内に封入されている。本体４は、平面視外形が長方形、鉛直方向断面視において上面が開口したコの字形状をなす。本体４には、両内面に鉛直方向に長い溝４ａ、４ｂが形成され、それぞれ光放射窓及び光入射窓として機能する。溝４ａは、本体４の上端より発して凹部底面に達しない程度の長さと、透光性樹脂２ｃの前部よりも十分に小さい幅と、透光性樹脂２ｃに達する程度の奥行きを有する。従って、溝４ａより透光性樹脂２ｃの前面の一部が露出している。溝４ｂも同様である。本体４には、これらの溝４ａ、４ｂ以外にも四隅に透光性樹脂２ｃ、３ｃの側面の一部及び背面の一部を露出させる窓４ｃが一つずつ形成されている。
【００１０】
フォトインタラプタ１は、以下のようにして製造される。先ず、公知の方法で封止体２、３を製造する。それとともに、封止体２、３の周囲に遮光性樹脂を流し込み成形するための成形型を準備する。成形型は、本実施形態では上型、下型及び左右のスライド型の４要素からなり、これらを組み合わせた状態で遮光性樹脂を流し込む。図５は、これらの各型の合わせ面を示す正面図である。上型と下型とは面ｐで合わせられ、上下の型とスライド型とは面ｑ、ｒで合わせられる。樹脂流入口は、上型の中心部下端Ｅに設けられている。スライド型を成形位置に移動し、封止体２、３の端子２ａ、３ａを受発光素子２ｂ、３ｂを対向させてスライド型の素子位置決めピンにはめ込む。そして、上型及び下型をスライド型間に挿入する。なお、スライド型よりも先に下型が成形位置に移動してもよく、この場合は素子位置決めピンを下型に設けておく。
【００１１】
図６は、成形型を組み合わせた状態を示す水平方向断面図であり、スライド型Ｌ、スライド型Ｒ及び上型Ｕの断面が現れている。図６に示すように、スライド型Ｌの内周面には、透光性樹脂２ｃの背面及び後部側面に当接するように平面視Ｌ字形の支持部Ｌ１、Ｌ２が形成されている。スライド型Ｒも同様である。他方、上型Ｕの中央両側には、溝４ａ、４ｂに対応して鉛直方向に長い突起Ｕａ、Ｕｂが封止体２、３の前面に当接するように形成されている。従って、封止体２の水平方向位置は支持部Ｌ１、Ｌ２及び突起Ｕａの三面で決められ、遮光性樹脂流し込み中も安定している。封止体３も同様である。この状態で透光性樹脂２ｃ、３ｃと四つの型とで囲まれる空間に上型の流入口より融解した遮光性樹脂を流し込み、放冷とともに硬化させる。その後、型を分割することにより、フォトインタラプタ１を取り出す。支持部Ｌ１、Ｌ２、Ｒ１、Ｒ２に対応する部分が窓４ｃとなっている。また、流入口跡６は、フォトインタラプタ１の中央に形成されている。
【００１２】
本実施形態によれば、型内の受発光素子封止体２、３の水平方向位置が突起Ｕａ（又はＵｂ）及び支持部Ｌ１、Ｌ２（又はＲ１、Ｒ２）の三箇所で正確に決められる。従って、遮光性樹脂が所定の形状に成形される。しかも支持部が突起Ｕａ、Ｕｂを含めて各々三箇所で足りるので、フォトインタラプタ１全体としては封止体２、３の露出部分が溝４ａ、４ｂを除くと４つの窓４ｃのみである。従って、外乱光の影響を受けにくく、プリンタのように暗部以外の機器内で使用される場合であってもフォトインタラプタ１の誤動作が防止される。また、流入口が製品の中央に位置するので、遮光性樹脂が速やかに隅々まで行き渡る。その結果、ウェルドラインや空隙の発生が抑制され、成形工程の歩留まりが向上する。しかも遮光性樹脂が緻密に均一に充填されるので、寸法安定性に優れる。
【図面の簡単な説明】
【００１３】
【図１】実施形態に係る透過型フォトインタラプタを示す斜視図である。
【図２】同じく平面図である。
【図３】同じく正面図である。
【図４】図２におけるＣＣ’断面図である。
【図５】上記フォトインタラプタの本体を成形する型の合わせ面を示す正面図である。
【図６】組み合わせられた成形型を示す水平方向断面図である。
【図７】従来の透過型フォトインタラプタを示す斜視図である。
【図８】同じく鉛直方向断面図である。
【図９】従来の成形型を示す水平方向断面図である。
【符号の説明】
【００１４】
１、１１  透過型フォトインタラプタ
２、１２  発光素子封止体
２ａ  端子
２ｂ、１２ｂ  発光素子
２ｃ、１２ｃ  透光性樹脂
３、１３  受光素子封止体
３ａ  端子
３ｂ、１３ｂ  受光素子
３ｃ、１３ｃ  透光性樹脂
４  本体
１４  遮光性樹脂
Ｌ、Ｕ、Ｒ、Ｔ  成形型
Ｌ１、Ｌ２、Ｒ１、Ｒ２、Ｔ１、Ｔ２  支持部
６  流入口
【図１】
2007103543.tif 000003
【図２】
2007103543.tif 000004
【図３】
2007103543.tif 000005
【図４】
2007103543.tif 000006
【図５】
2007103543.tif 000007
【図６】
2007103543.tif 000008
【図７】
2007103543.tif 000009
【図８】
2007103543.tif 000010
【図９】
2007103543.tif 000011